(57)【要約】【課題】組立作業性を向上することができる電子機器を提供する。【解決手段】撮像装置１は、本体部１６を覆う前面カバー２と、本体部１６を覆う背面カバー１０と、ヒンジベース１５の少なくとも一部を覆うヒンジベースカバー１８と、を備え、ヒンジベース１５は互いに略直交する第１固定部１５ａ及び第２固定部１５ｃを有し、ヒンジベースカバー１８は互いに略直交する第１当接部１８ａ及び第２当接部１８ｂを有し、第１当接部１８ａが有する第１爪部１８ｄは、第２当接部１８ｂと第２固定部１５ｃが離間するのを防止するように第１固定部１５ａと係合し、第２当接部１８ｂが有する第２爪部１８ｅは、第１当接部１８ａと第１固定部１５ａが離間するのを防止するように第２固定部１５ｃと係合する。【選択図】  図４
2020034686.tif 000002
【特許請求の範囲】
【請求項１】
本体と、表示部と、該表示部を回動可能に支持するヒンジ機構とを備え、前記ヒンジ機構は前記本体に取り付けられるヒンジ基部を有する電子機器であって、
前記本体を覆う第１のカバーと、
前記本体を覆う第２のカバーと、
前記ヒンジ基部の少なくとも一部を覆う第３のカバーと、を備え、
前記ヒンジ基部は互いに延伸方向が異なる第１の固定部及び第２の固定部を有し、
前記第３のカバーは、前記第１の固定部に対向する第１の当接部及び前記第２の固定部に対向する第２の当接部を有し、
前記第１の当接部は前記第１の固定部に係合する第１の爪部を有し、
前記第２の当接部は前記第２の固定部に係合する第２の爪部を有し、
前記第１の固定部へ前記第１の当接部が当接し且つ前記第２の固定部へ前記第２の当接部が当接する際、前記第１の爪部は前記第２の当接部と前記第２の固定部が離間するのを防止するように係合するとともに、前記第２の爪部は前記第１の当接部と前記第１の固定部が離間するのを防止するように係合し、
前記第１のカバー及び前記第２のカバーが前記本体を覆う際、前記第１のカバーは前記第１の当接部を前記第１の固定部へ向けて押圧するとともに、前記第２のカバーは前記第２の当接部を前記第２の固定部へ向けて押圧することを特徴とする電子機器。
【請求項２】
前記第１の固定部は前記第２の固定部と略直交し、前記第１の当接部は前記第２の当接部と略直交することを特徴とする請求項１記載の電子機器。
【請求項３】
前記第３のカバーは、前記第１のカバー又は前記第２のカバーとともに前記本体へ締結部材によって締結されることを特徴とする請求項１又は２記載の電子機器。
【請求項４】
前記ヒンジ基部は、前記第１の固定部から立設する一対の支持腕部を有し、
前記第３のカバーは前記ヒンジ基部の少なくとも一部を覆う際、前記第１の固定部に対向し、且つ前記一対の支持腕部の間に配置され、
前記第３のカバーにおいて、前記第１の固定部及び前記支持腕部の各々が形成する隅部に対向する箇所には逃げが形成されることを特徴とする請求項１乃至３のいずれか１項に記載の電子機器。
【請求項５】
前記逃げはテーパ形状からなることを特徴とする請求項４記載の電子機器。
【発明の詳細な説明】
【技術分野】
【０００１】
本発明は、ヒンジ機構を介して表示部が本体へ取り付けられる電子機器に関する。
【背景技術】
【０００２】
デジタルカメラ等の表示部を備える電子機器では、画像を表示する表示部がヒンジ機構を介して本体へ取り付けられ、ヒンジ機構が表示部の本体に対する回転や開閉を実現させることにより、表示部に表示される画像の視認性を向上させる。
【０００３】
近年、デジタルカメラの小型化に伴うヒンジ機構の小型化に対応してヒンジ機構の剛性確保のために、ヒンジ機構は高強度の金属部品から構成される。さらに、ヒンジ機構は表示部の回転規制機構や回転トルク発生機構等を備える。すなわち、ヒンジ機構は複雑な構成を有するため、美感確保の観点から、電子機器の外観に露出させるのは好ましくなく、往々にして、ヒンジ機構はカバーによって覆われる。特に、ヒンジ機構において、表示部が締結されて該表示部を支持するヒンジベースは、電子機器の本体へ強固に固定される必要があることから、ビス等の締結部材によって本体へ固定され、結果として、締結部材が外観に露出する。したがって、美感を考慮した際、締結部材ごとヒンジベースをカバーによって覆うのが好ましい。
【０００４】
これに対応して、撮像装置の本体を覆う前面カバーや後面カバーの他に側面カバーを設け、側面カバーの一部によってヒンジベースを覆う技術が提案されている（例えば、特許文献１参照。）。
【先行技術文献】
【特許文献】
【０００５】
【特許文献１】特開２０１６−１５６６１号公報
【発明の概要】
【発明が解決しようとする課題】
【０００６】
しかしながら、特許文献１の技術では、側面カバーがビスによって電子機器の本体へ取り付けられる。また、側面カバーの本体への取り付け工程は、前面カバーや後面カバーの取り付け工程と別であり、組立作業性に優れているとは言えないという問題がある。
【０００７】
本発明の目的は、組立作業性を向上することができる電子機器を提供することにある。
【課題を解決するための手段】
【０００８】
上記目的を達成するために、本発明の電子機器は、本体と、表示部と、該表示部を回動可能に支持するヒンジ機構とを備え、前記ヒンジ機構は前記本体に取り付けられるヒンジ基部を有する電子機器であって、前記本体を覆う第１のカバーと、前記本体を覆う第２のカバーと、前記ヒンジ基部の少なくとも一部を覆う第３のカバーと、を備え、前記ヒンジ基部は互いに延伸方向が異なる第１の固定部及び第２の固定部を有し、前記第３のカバーは、前記第１の固定部に対向する第１の当接部及び前記第２の固定部に対向する第２の当接部を有し、前記第１の当接部は前記第１の固定部に係合する第１の爪部を有し、前記第２の当接部は前記第２の固定部に係合する第２の爪部を有し、前記第１の固定部へ前記第１の当接部が当接し且つ前記第２の固定部へ前記第２の当接部が当接する際、前記第１の爪部は前記第２の当接部と前記第２の固定部が離間するのを防止するように係合するとともに、前記第２の爪部は前記第１の当接部と前記第１の固定部が離間するのを防止するように係合し、前記第１のカバー及び前記第２のカバーが前記本体を覆う際、前記第１のカバーは前記第１の当接部を前記第１の固定部へ向けて押圧するとともに、前記第２のカバーは前記第２の当接部を前記第２の固定部へ向けて押圧することを特徴とする。
【発明の効果】
【０００９】
本発明によれば、組立作業性を向上することができる。
【図面の簡単な説明】
【００１０】
【図１】本実施の形態に係る電子機器としての撮像装置の構成を概略的に示す図である。
【図２】図１の撮像装置の構成を概略的に示す分解斜視図である。
【図３】図２におけるヒンジベースが本体部の本体板金へ固定される様子を示す斜視図である。
【図４】ヒンジベースカバーがヒンジベースの一部を覆う様子を示す図である。
【発明を実施するための形態】
【００１１】
以下、本発明の実施の形態について図面を参照しながら詳細に説明する。しかしながら、以下の実施の形態に記載される構成はあくまで例示に過ぎず、本発明の範囲は実施の形態に記載される構成によって限定されることはない。
【００１２】
図１は、本実施の形態に係る電子機器としての撮像装置の構成を概略的に示す図である。図１（Ａ）は、正面の斜め上方から撮像装置を眺めた場合を示し、図１（Ｂ）は、背面の斜め上方から撮像装置を眺めた場合を示す。
【００１３】
図１（Ａ）及び図１（Ｂ）において、撮像装置１は、前面側において、本体部１６を前方から覆う前面カバー２（第１のカバー）と、前面グリップ３と、被写体の光線を光学像として結像する結像ユニット４とを備える。また、撮像装置１は、天面側において、本体部１６を上方から覆う天面カバー５と、撮像装置１の動作/非動作状態の切り替え操作を受け付ける電源ボタン６と、各種撮影モードへの切り替え操作を受け付けるモードダイアル７とを備える。さらに、撮像装置１は、本体部１６を後方から覆う背面カバー１０（第２のカバー）と、背面操作部１１と、表示部１２と、背面グリップ部１３とを備える。背面操作部１１は、各種機能が割り当てられたスイッチやダイヤルからなり、表示部１２は、撮影画像等を表示する液晶ディスプレイを有する。また、天面カバー５には、結像ユニット４の焦点距離の変更操作を受け付けるズームレバー８と、撮影のための押下操作を受け付けるレリーズボタン９とが配置される。
【００１４】
撮像装置１による被写体の撮影時、撮影者が、前面グリップ３と背面グリップ部１３を把持することにより、撮像装置１を保持する。また、撮像装置１では、前面カバー２、天面カバー５及び背面カバー１０が互いに接合することにより、本体部１６を内部へ収容する。
【００１５】
撮像装置１では、非動作状態において撮影者が電源ボタン６を押下すると、撮像装置１は動作状態に移行し、結像ユニット４の鏡筒部が撮像装置１から繰り出されて被写体を撮影することができる。動作状態において撮影者が電源ボタン６を押下すると、結像ユニット４の沈胴式の鏡筒部が撮像装置１の内部へ繰り込まれ、撮像装置１は非動作状態に移行する。また、動作状態において、撮影者がモードダイアル７を回転させると、撮影モードを、シャッタ速度や絞り値等の撮影条件を任意に設定可能なマニュアル撮影モード、自動で適正な露光量が得られるオート撮影モードや動画撮影モードに切り替えることができる。
【００１６】
撮像装置１は、さらに、背面側において、表示部１２を回動可能に支持するヒンジ機構１４を備える。表示部１２は液晶表示部を有するバリアングルディスプレイによって構成され、撮像装置１の本体部１６に対して回動する。撮像装置１の動作状態において、表示部１２の液晶表示部には、撮影中の被写体像のリアルタイム画像が表示される。また、液晶表示部には、シャッタースピードや絞り値等の各種撮影パラメータ等が表示され、撮影者は背面操作部１１を操作することにより、撮影パラメータの設定値を変更することができる。背面操作部１１は画像データの再生を指示するための再生ボタンを有し、撮影者は再生ボタンを操作することにより、撮影された画像を表示部１２において再生させることができる。
【００１７】
図２は、図１の撮像装置の構成を概略的に示す分解斜視図である。図２に示すように、前面カバー２、天面カバー５及び背面カバー１０は互いに接合することによって撮像装置１の外観を構成する。撮像装置１では、前面カバー２や背面カバー１０の一部が撮像装置１の側面に回り込み、側面カバーを兼ねる。
【００１８】
ヒンジ機構１４は、板金からなるヒンジベース１５（ヒンジ基部）を有し、ヒンジベース１５は本体部１６にビス等で固定される。また、ヒンジベース１５は表示部１２の締結機構（不図示）を図中のＹ軸回りに回動自在に支持する。さらに、締結機構は表示部１２の回動シャフト（不図示）が挿嵌される回動穴を有し、表示部１２を図中のＸ軸回りに回動自在に支持する。これにより、ヒンジ機構１４は表示部１２を２軸（図中において破線で示すＸ軸、Ｙ軸）で回動可能に支持する。さらに、ヒンジ機構１４の締結機構はトルク発生機構や回転規制機構（いずれも不図示）を有し、表示部１２は図中のＸ軸やＹ軸回りにおいて、任意の角度で静止することができ、さらに、任意の角度間で回動することができる。
【００１９】
また、撮像装置１はヒンジカバー１７やヒンジベースカバー１８（第３のカバー）をさらに備える。ヒンジ機構１４において、ヒンジカバー１７が締結機構を覆い、トルク発生機構や回転規制機構が露出するのを防ぐ。また、ヒンジベースカバー１８がヒンジベース１５の一部を覆い、ヒンジベース１５がビス等で本体部１６へ固定される様子が露出するのを防ぐ。これにより、撮像装置１において、美感を確保することができる。
【００２０】
撮像装置１では、まず、天面カバー５を本体部１６へ固定し、次いで、ヒンジ機構１４を本体部１６へ固定する。その後、ヒンジ機構１４のヒンジベース１５へ後述するようにヒンジベースカバー１８を取り付け、ヒンジ機構１４の締結機構にヒンジカバー１７を取り付ける。次いで、前面カバー２や背面カバー１０を本体部１６へ固定し、撮像装置１の組立を終了する。なお、前面カバー２、天面カバー５や背面カバー１０は本体部１６にビス等で固定される。
【００２１】
図３は、図２におけるヒンジベースが本体部の本体板金へ固定される様子を示す斜視図である。以下、説明に不要な構成部品の図示は省略され、図３中のＸ方向、Ｙ方向、Ｚ方向は後述の図４においても適用される。
【００２２】
図３において、本体板金１６ａは本体部１６の一部をなし、ヒンジベース１５は本体板金１６ａと当接して本体板金１６ａへビスによって固定される。ヒンジベース１５は、略平板状の第１固定部１５ａと、略平板状の第２固定部１５ｃと、第１固定部１５ａから立設する一対の支持腕部１５ｂとを有する。第１固定部１５ａはビス穴（不図示）を有し、該ビス穴へビスが挿嵌されてヒンジベース１５が本体板金１６ａへビスによって固定される。各支持腕部１５ｂはその先端近傍において開口する回動穴１５ｄを有する。各回動穴１５ｄはＹ方向に関して同一軸線上に配置され、各回動穴１５ｄには表示部１２の締結機構が有する回動シャフトが挿嵌される。これにより、ヒンジベース１５は表示部１２の締結機構をＹ軸回りに回動自在に支持する。
【００２３】
ヒンジベース１５において、第１固定部１５ａと第２固定部１５ｃは互いに延伸方向が異なり、略直交するとともに、一対の支持腕部１５ｂとも略直交する。すなわち、第１固定部１５ａ、一対の支持腕部１５ｂ及び第２固定部１５ｃは互いに略直交する３平面を構成する。本実施の形態では、第２固定部１５ｃに垂直な方向をＸ方向と定義し、一対の支持腕部１５ｂに垂直な方向をＹ方向と定義し、第１固定部１５ａに垂直な方向をＺ方向と定義する。ヒンジベースカバー１８は、図に示すように、主としてヒンジベース１５の第１固定部１５ａを覆う。
【００２４】
図４は、ヒンジベースカバー１８がヒンジベース１５の一部を覆う様子を示す図であり、図４（Ａ）は図３における線Ａ−Ａに沿う断面図であり、図４（Ｂ）は図３における線Ｂ−Ｂに沿う断面図である。なお、図４（Ｂ）では、見易さを考慮して、前面カバー２と背面カバー１０の断面が点線で描画される。
【００２５】
図４（Ａ）及び図４（Ｂ）において、ヒンジベース１５では、板金を折り曲げることによって第１固定部１５ａから一対の支持腕部１５ｂを立設させる。また、ヒンジベースカバー１８は平板状の第１当接部１８ａ（第１の当接部）と、平板状の第２当接部１８ｂ（第２の当接部）を有し、第１当接部１８ａは第２当接部１８ｂと互いに延伸方向が異なり、略直交する。ヒンジベースカバー１８がヒンジベース１５を覆う際、第１当接部１８ａは第１固定部１５ａに対向して当接し、第２当接部１８ｂは支持腕部１５ｂに対向して当接する。このとき、第１当接部１８ａが一対の支持腕部１５ｂの間に配置されるが、第１当接部１８ａは一対の支持腕部１５ｂのそれぞれに当接する当接部１８ｇを有する。特に、各当接部１８ｇにおける、第１固定部１５ａ及び支持腕部１５ｂが形成する隅部１５ｇに対向する箇所は、テーパ形状に加工されて逃げ１８ｈを形成する。テーパ形状の逃げ１８ｈは、第１当接部１８ａを一対の支持腕部１５ｂの間に配置する際に、ガイドとして機能するとともに、板金の折り曲げにおいて許容される隅部１５ｇの寸法誤差を吸収する。
【００２６】
また、第１当接部１８ａは第１爪部１８ｄ（第１の爪部）を有し、第２当接部１８ｂは第２爪部１８ｅ（第２の爪部）を有する。第１爪部１８ｄ及び第２爪部１８ｅのそれぞれは、ヒンジベースカバー１８がヒンジベース１５を覆う際に、ヒンジベース１５側へ突出するように形成され、第１固定部１５ａ及び第２固定部１５ｃのそれぞれに係合する。
【００２７】
第１爪部１８ｄは、第１固定部１５ａと係合する際、第１固定部１５ａを介して第２固定部１５ｃを第２当接部１８ｂへ向けて押圧し、第２当接部１８ｂが第２固定部１５ｃから離間するのを防止する。また、第２爪部１８ｅは、第２固定部１５ｃと係合する際、第２固定部１５ｃを介して第１固定部１５ａを第１当接部１８ａへ向けて押圧し、第１当接部１８ａが第１固定部１５ａから離間するのを防止する。すなわち、第１爪部１８ｄ及び第２爪部１８ｅは、実質的にヒンジベース１５を狭持し、ヒンジベースカバー１８がヒンジベース１５から離間するのを防止する。これにより、ビス等の締結部材を用いることなく、ヒンジベースカバー１８をヒンジベース１５に対して固定することができる。その結果、組立作業性を向上することができる。
【００２８】
また、第１当接部１８ａは第１固定部１５ａと反対側の面において段差状のフランジ部１８ｃを有する。背面カバー１０を本体部１６へ固定する際、フランジ部１８ｃには背面カバー１０の端部が係合し、背面カバー１０が第１当接部１８ａ（フランジ部１８ｃ）を第１固定部１５ａへ向けて押圧する（Ｚ方向へ押圧する）。これにより、ヒンジベースカバー１８がヒンジベース１５から離間するのを防止することができる。フランジ部１８ｃの段差高さは、背面カバー１０の厚みとほぼ同じであり、フランジ部１８ｃが背面カバー１０の端部と係合する際、第１当接部１８ａと背面カバー１０は同じ高さとなり、撮像装置１の外観において不自然な段差が発生するのを防止する。
【００２９】
さらに、前面カバー２を本体部１６へ固定する際、前面カバー２において撮像装置１の側面に回り込む側方部２ａが第２当接部１８ｂを第２固定部１５ｃへ向けて押圧する（Ｘ方向と反対の方向へ押圧する）。これによっても、ヒンジベースカバー１８がヒンジベース１５から離間するのを防止することができる。
【００３０】
前面カバー２の側方部２ａ、第２当接部１８ｂ及び第２固定部１５ｃは、それぞれＸ方向に貫通する貫通穴２ｂ，１８ｆ，１５ｅを有し、さらに、本体板金１６ａはＸ方向に穿設されたビス穴１６ｂを有する。前面カバー２が本体部１６へ固定されて側方部２ａが第２当接部１８ｂを第２固定部１５ｃへ向けて押圧する際、これらの貫通穴２ｂ，１８ｆ，１５ｅとビス穴１６ｂは同心に配置される。このとき、貫通穴２ｂ，１８ｆ，１５ｅへビス（不図示）を挿入してビス穴１６ｂと螺合させることにより、ヒンジベース１５を前面カバー２とともに本体部１６へ締結（固定）することができる。これにより、締結工程を削減することができ、組立作業性を向上することができる。また、前面カバー２の側方部２ａの捲れの発生やヒンジベースカバー１８のがたつきの発生を防止することができる。
【００３１】
以上、本発明の好ましい実施の形態について説明したが、本発明は上述した実施の形態に限定されず、その要旨の範囲内で種々の変形及び変更が可能である。
【００３２】
例えば、背面カバー１０やヒンジベースカバー１８へビスを挿入させるためのＺ方向に貫通する貫通穴を設け、本体板金１６ａへＺ方向に穿設されたビス穴を設けてもよい。これにより、ビスによってヒンジベースカバー１８を背面カバー１０とともに本体部１６へ締結させることができる。また、上述した実施の形態では、本発明を撮像装置に適用した事例について説明したが、本発明は撮像装置以外の電子機器にも適用することができる。
【符号の説明】
【００３３】
１  撮像装置
２  前面カバー
１０  背面カバー
１２  表示部
１４  ヒンジ機構
１５  ヒンジベース
１５ａ  第１固定部
１５ｂ  支持腕部
１５ｃ  第２固定部
１５ｇ  隅部
１６  本体部
１８  ヒンジベースカバー
１８ａ  第１当接部
１８ｂ  第２当接部
【図１】
2020034686.tif 000003
【図２】
2020034686.tif 000004
【図３】
2020034686.tif 000005
【図４】
2020034686.tif 000006